(57)【要約】【課題】加熱沸騰時間の短縮または水温が降下した湯水の定温加熱をすることが出来る。【解決手段】円板の円周表面部周方向に流水通路を設けた円板状加熱板部材を円筒状有底内容器の筒底とし、流水通路の始点位置に入水孔、終点位置に出水孔を設け、出水孔から給湯配管と連通する。内容器中の湯水を加熱する時は、湯水を加熱板部材の表面部により直接加熱させるとともに、加熱された加熱板付近の水と周囲の水とを共に内容器筒底の入水孔に流入させて流水通路の終点の出水孔に連通した給湯配管から循環配管を利用して内容器中に回流させる際に、湯水を同一の加熱板部材内部の流水通路内壁により加熱する二重加熱を行う。【選択図】図３
2009118874.tif 000002
【特許請求の範囲】
【請求項１】
湯水を収容する有底略円筒状の内容器の内径と同じ直径の円板状の電気ヒータの加熱板部材は、円板の円周表面部周方向に沿って円板平面上方視略Ｃ字型の溝を設け、溝の開口部を覆い被せて管状の流水通路とし、流水通路の一端に流水通路の始点位置として加熱板部材の片側平面を上の面に貫通する入水孔を設け、流水通路他端に流水通路の終点位置として給湯配管と連通させるための出水孔を加熱板部材の下面に設け、前記円板状の加熱板部材が内容器の筒底となり、流水通路の断面積を給湯配管の断面積と同じにし、また入水孔と出水孔の直径がそれぞれ給湯配管の直径と同じ寸法になった電気ポット。
【請求項２】
給湯配管の揚水管部と湯水注出口との間の略水平方向の配管に、揚水管側入水口と湯水注出口側出水口および循環管側出水口が有する流路切換コックを間設し、電気ポットの上面部に設けた流路切換コックの操作ツマミを回すことにより、流路切換コックの揚水管側入水口から入った湯水が湯水注出口側の出湯または循環管側の内容器への回流を切換えることが出来る請求項１に記載の電気ポット。
【請求項３】
内容器中の水を加熱するとき、加熱板部材となる筒底の上面により直接加熱すると同時に、出湯用モーターを利用して加熱板付近の水と周囲の水とを共に筒底の入水孔に流入させ、加熱板部材の内部の流水通路の内壁により加熱しながら、湯水を流水通路の終点の出水孔と連通した給湯配管から循環配管を経由して内容器中へ循環させながら加熱することを特徴とする請求項１または２に記載の電気ポット。
【発明の詳細な説明】
【技術分野】
【０００１】
本発明は、電気ポットに関する。
【背景技術】
【０００２】
電気ポットの揚水管の中の温度が下がった湯水は、給湯配管に電磁弁を介して連通させた循環配管を通り内容器中に流入し、エアーポンプ手動給湯するときは、別の経路の配管を通って給湯する。また、内容器の下に設けられた加熱循環管路、または内容器の底面部に設けられた加熱カバーの加熱部材により加熱沸騰させる。
【０００３】
しかしながら、給電状態のときは循環配管を通って湯水が内容器中に戻れるが、エアーポンプ手動給湯するときは湯水の循環が不能になる。また加熱循環管路で加熱するのは、内容器の局部的な循環加熱となる欠点があり、加熱部材に接する面だけで加熱しても、給湯配管に入る湯水が、加熱された水だけではなく、加熱されていない周囲の水と混ざりながら給湯配管から出湯することになる。
【特許文献１】特開２００３−２５９９７７
【特許文献２】実開平７−０３９７１７
【特許文献３】特開２００１−２６９２７０
【発明の開示】
【発明が解決しようとする課題】
【０００４】
循環水のかたちで加熱することにより加熱沸騰時間の短縮ができるとともに、水温が下がった湯水をあらかじめ設定した温度に加熱することが出来る。
【課題を解決するための手段】
【０００５】
円板の円周表面部周方向に流水通路を設けた円板状加熱板部材を円筒状有底内容器の筒底とし、流水通路の始点位置に入水孔、終点位置に出水孔を設け、さらに給湯配管上部の湯水注出口手前の略水平方向の給湯配管に手動の流路切換コックを間設し、流路切換コックは常時揚水管側と循環管側とを連通させ、内容器中に溜まった湯水を加熱する時は加熱板部材の表面部により湯水を直接加熱させるとともに、加熱板付近の水と周囲の水とを共に内容器筒底の入水孔に流入させ、流水通路の内壁により加熱しながら、流水通路の終点の出水孔に連通した給湯配管から循環管を通り内容器中に循環するかたちで循環加熱し、出湯する時はあらかじめ定められた温度に達したときに電気ヒータを停止させ、電気ポットの上面部に設けた流路切換コックの操作ツマミを回して流路切換コックを湯水注出口側に切換え、出湯する。
【発明の効果】
【０００６】
電気ヒータの加熱板部材を内容器の筒底とするとともに、循環管を通って内容器中に湯水を回流させ、循環水のかたちで加熱することにより、湯水の加熱沸騰時間を短縮させることができるだけでなく、あらかじめ定められた温度に達したときに電気ヒータを停止させ、定温加熱することができる。温度が下がった揚水管中の湯水が内容器への回流することができ、また循環管を使うことにより、内容器の循環水の洗浄とユーザの好みに合わせた湯水の任意温度の加熱にも使うことができる。
【発明を実施するための最良の形態】
【０００７】
図を参照しつつ説明する。
【０００８】
図１は電気ヒータＢの加熱板部材Ａの上面正面図である。円筒状有底内容器Ｄの円筒状部の内径と同じ直径の円形板状の加熱板部材Ａが内容器Ｄの筒底部材となる。円板状加熱板部材Ａの側面の周方向に加熱板部材Ａの平面上方視略Ｃ字型の溝状部を設け、溝の開口部を覆い被せて管状となる流水通路Ａ−ｃを設ける（図を参照）。流水通路Ａ−ｃの断面積は給湯配管の断面積と等しくする。流水通路Ａ−ｃの一端を起点として設けた入水孔Ａ−ａは内容器Ｄの内側底面に貫通させ、流水通路Ａ−ｃの終点に給湯配管Ｆと連通させるための出水孔Ａ−ｂを内容器Ｄの筒底の下面まで貫通させる。また入水孔Ａ−ａと出水孔Ａ−ｂの直径がそれぞれ給湯配管Ｆの直径と同じ寸法にすることで、給湯配管Ｆに対し湯水の流れる量を最大限にできる。
【０００９】
図２は図１に示した加熱板部材Ａの側面正面図である。流水通路Ａ−ｃの一端に給湯配管Ｆと同じ直径の入水孔Ａ−ａを流水通路Ａ−ｃの始点位置として円板状加熱板部材Ａの上面に向け連通させるよう設け、流水通路Ａ−ｃの他端に出水孔Ａ−ｂを流水通路Ａ−ｃの終点位置として給湯配管Ｆとを連通するよう円板状加熱板部材Ａの下面に設ける。
【００１０】
図２または図１に示した流水通路Ａ−ｃは、湯水を加熱するときに筒底となる加熱板部材Ａの上面による直接加熱と同時に、加熱板付近の水と周囲の冷水とを共に筒底の入水孔Ａ−ａに流入させ、湯水が流水通路Ａ−ｃの終点の出水孔Ａ−ｂから給湯配管Ｆに流れさせることで加熱板部材Ａの内部の流水通路Ａ−ｃの内壁により加熱する。流水通路Ａ−ｃの長さが円板状加熱板部材Ａの外周部のほぼ一周に相当するため、湯水の加熱効率を最大限にできる。
【００１１】
図３は電気ポットの筒底側面断面図である。加熱板部材Ａの直径を内容器Ｄの円筒状部の内径と同じにすることで、電気ヒータＢの加熱板部材Ａによる加熱面積が最大になる。加熱手段は加熱板部材Ａの上表面部による加熱だけでなく、出湯用モーターＣを利用することにより加熱板部材Ａの内部の流水通路Ａ−ｃ中を流れる際の内壁による加熱、さらに湯水を給湯配管Ｆと循環配管Ｊを通じた循環加熱により、加熱沸騰の時間の短縮することができる。
【００１２】
湯水を前記循環加熱する方式により、内容器Ｄ中の温度が下がった湯水を加熱する際に加熱温度を設定し、水温が所定温度に到達した時点で電気ヒータＢを停止させ、定温加熱することもできる。また内容器Ｄの水量が多い場合でも加熱沸騰時間を短縮することができ、湯水を短時間に所定温度まで加熱することができるため、低い保温温度に設定することで、省エネを図ることができる。
【００１３】
図４は電気ポットの給湯配管側面断面図である。給湯配管の揚水管Ｆから湯水注出口Ｇ手前の略水平方向の給湯配管に流路切換できる流路切換コックＨを設け、流路切換コックＨの切換作動により、揚水管Ｆからの湯水が湯水注出口Ｇへ流れるか、または循環配管Ｊを通って内容器Ｄ中に回流するかを選択することができる。
【００１４】
流路切換コックＨは手動で操作できるように、切換用の操作ツマミＥを電気ポット上面部に設ける。切換用の操作ツマミＥと流路切換コックＨの間に連結部材で連結し、切換用の操作ツマミＥの旋回作動により流路切換コックＨを調節することが出来る。
【００１５】
流路切換コックＨに連通した循環管Ｊを内容器Ｄの内面まで連通させる。循環管Ｊの内容器Ｄの内面の出水口は、内容器Ｄの満水ラインより若干上に設け、湯水が内容器Ｄ中に回流するとき、内容器Ｄ内の水量に影響されないようにする。循環管Ｊ全体はやや内容器Ｄ側に傾斜し、使用しないときでも循環管Ｊ内の湯水が溜まらないようにする。
【００１６】
図５は給湯配管の上面正面図である。流路切換コックＨの入水口の揚水管Ｆ側と出水口の湯水注出口Ｇ側とは一直線上に設ける。流路切換コックＨの出水口の循環管Ｊ側は、流路切換コックＨの揚水管Ｆ側入水口から９０度の円周位置に内容器Ｄ側に向くように設ける。流路切換コックＨを回流側に調節することにより、湯水が流路切換コックＨから循環配管Ｊを通り、内容器Ｄ中に回流することができる。流路切換コックＨと電気ポット上面部の電気部材などの位置を調整することが好ましい。
【００１７】
図６は略円柱状の流路切換コックＨの横断面図である。流路切換コックＨは、湯水注出口Ｇ側の給湯配管に連通した出水口と揚水管Ｆ側の給湯配管に連通した入水口を略円柱状の流路切換コックＨの円周の対向に設け、略円柱状の流路切換コックＨの円心から９０度の円周位置に循環管Ｊ側に連通した出水口を設ける。略円柱状の流路切換コックＨの弁部材の通水路バルプＨ−aは、略円柱状通水路バルプＨ−aの円周から円心を通り円周の対向に通水口を設けた直管状通水路に、二本の通水管路をＫ字型の形に連通させ、直管状通水路と二本の通水管路の間を連通させ通水路バルプＨ−ａの通水路の両端とも略漏斗形にしたものである（図を参照）。
【００１８】
図６は出湯時の流路切換コックＨの図である。揚水管Ｆ側入水口から入った湯水が通水路バルプＨ−ａの通水路の一端の略漏斗形通水口から入り、湯水注出口Ｇ側出水口へ流出する。この時流路切換コックＨの循環管Ｊ側出水口は、通水路バルプＨ−ａの他端の略漏斗形通水口が内壁により塞がれるため、通水不能になる（図を参照）。
【００１９】
図７は回流時の流路切換コックＨの図である。前記流路切換コックＨの弁部材の通水路バルプＨ−aの通水路を切換えた状態である。揚水管Ｆ側入水口から入った湯水が通水路バルプＨ−ａの通水路の一端略漏斗形通水口に流れ、他端の略漏斗形の通水口を通り循環管Ｊ側出水口に流出する。この時流路切換コックＨの湯水注出口Ｇ側出水口へは通水不能になる（図を参照）。
【００２０】
略円柱状通水路バルプＨ−aの通水路は、給湯配管の揚水管と常に連通しているとともに、略水平方向の給湯配管は揚水管Ｆ側に傾斜した状態にすることにより、使用しないときでも流路切換コックＨの中に湯水が溜まらない。
【００２１】
図８は電気ポット上面図であり、操作ツマミＥを示した図である。図９は電気ボッド側面正面図である。ユーザの長期使用や、または洗浄の不徹底などによるスケールなどの生成による電磁バルプ使用時の不具合をなくすため、ユーザの好みに合わせ手動の流路切換コックＨを切換え、手の感覚で不具合などのトラブルを防ぐことができる。また給湯配管周りの従来の部材の位置を調整することが好ましい。
【００２２】
操作ツマミＥはバネにより常に循環側に位置させる。内容器Ｄの中に溜まった湯水を加熱するときは、温度を設定してからスイッチを押す。湯水が内容器Ｄの筒底部の入水孔Ａ−aに流入し、加熱板部材Ａの内部の流水通路Ａ−ｃの中に流れ、出湯用モーターＣの回転により、揚水管Ｆと循環管Ｊを通って内容器Ｄの中へ循環させながら加熱する。操作ツマミＥをバネにより流路切換コックＨを常に循環側に位置することにより、出湯時の予期せぬ出湯または本体が倒れて湯水が流出するなどのトラブルを防ぐ効果もある。
【００２３】
出湯するときは、電磁石により操作ツマミＥを出湯位置に止め、出湯スイッチを押し出湯する。出湯を終えた後、操作ツマミＥはバネの作用により循環位置に戻る。操作ツマミＥは、出湯位置から循環位置、または循環位置から出湯位置への切換操作をするとき、出湯用モーターＣが停止状態になるようにする。また加熱板部材Ａの流水通路Ａ−ｃ中の湯水の過熱を防ぐため、出湯用モーターＣを停止することにより湯水を循環不能にすると同時に、電気ヒータＢも停止させる。
【図面の簡単な説明】
【００２４】
【図１】加熱板部材上面正面図
【図２】加熱板部材側面正面図
【図３】電気ポット側面下部正面図
【図４】電気ポット側面上部正面図
【図５】給湯配管上面正面図
【図６】流路切換バルプ湯水注出口方面横断面図
【図７】流路切換バルプ循環管方面横断面図
【図８】電気ポット上面図
【図９】電気ポット側面正面図
【符号の説明】
【００２５】
Ａ        加熱板部材
Ａ−ａ    入水孔
Ａ−ｂ    出水孔
Ａ−ｃ    流水通路
Ｂ        電気ヒータ
Ｃ        モーター
Ｄ        内容器
Ｅ        流路切換用操作ツマミ
Ｆ        揚水管
Ｇ        湯水注出口
Ｈ        流路切換コック
Ｈ−a     通水路バルプ
Ｊ        循環管
【図１】
2009118874.tif 000003
【図２】
2009118874.tif 000004
【図３】
2009118874.tif 000005
【図４】
2009118874.tif 000006
【図５】
2009118874.tif 000007
【図６】
2009118874.tif 000008
【図７】
2009118874.tif 000009
【図８】
2009118874.tif 000010
【図９】
2009118874.tif 000011
【手続補正書】
【提出日】平成20年2月24日(2008.2.24)
【手続補正１】
【補正対象書類名】特許請求の範囲
【補正対象項目名】請求項１
【補正方法】変更
【補正の内容】
【請求項１】
湯水を収容する有底略円筒状の内容器中の水を加熱するとき、内容器中の湯水は出湯用モーターを利用して加熱板部材となる筒底の上面付近の水と周囲の水とを共に筒底に設けられた入水孔から加熱板部材内部に設けられた流水通路に流入させて流水通路を通り、流水通路の終点の出水孔と連通した給湯配管の揚水管部を通り、揚水管部と湯水注出口との間に設けられた流路切換コックと流路切換コックから内容器内面まで連通した循環配管を通って内容器中へ回流させる。すなわち、出湯用モーターを利用することで、内容器中の湯水を筒底の加熱板部材内部に設けられた流水通路と給湯配管と循環配管を通り再び内容器中に回流させて循環水のかたちにし、加熱板部材となる筒底の上面による加熱および加熱板部材内部の流水通路の内壁による加熱を前記の循環水で行うことを特徴とする電気ポット。
【手続補正２】
【補正対象書類名】特許請求の範囲
【補正対象項目名】請求項２
【補正方法】変更
【補正の内容】
【請求項２】
有底略円筒状の内容器の内径と同じ直径の円板状の電気ヒータの加熱板部材は、円板の円周表面部周方向に沿って円板平面上方視略Ｃ字型の溝を設け、溝の開口部を覆い被せて管状の流水通路とし、流水通路の一端に流水通路の始点位置として加熱板部材の片側平面を上面とした面に貫通する入水孔を設け、流水通路他端に流水通路の終点位置として給湯配管と連通させるための出水孔を加熱板部材の下面に設け、流水通路の断面積を給湯配管の断面積と同じにし、また入水孔と出水孔の直径がそれぞれ給湯配管の直径と同じ寸法となり、前記円板状の加熱板部材が内容器の筒底にし、内容器中の湯水が内容器の筒底に設けられた入水孔から流入し流水通路を通り出水孔から連通した給湯配管から循環配管を通って内容器中に回流して循環水のかたちとなり、加熱板部材内部の流水通路を通過する際に湯水が流れながら流水通路の内壁によって熱を得ることのできる請求項１に記載の電気ポット。
【手続補正３】
【補正対象書類名】特許請求の範囲
【補正対象項目名】請求項３
【補正方法】変更
【補正の内容】
【請求項３】
給湯配管の揚水管部と湯水注出口との間の略水平方向の配管に、一つの入水口と二つの出水口を有する流路切換コックを間設する。流路切換コックの入水口は揚水管部と連接し、一方の出水口は湯水注出口と連接し、他方の出水口は流路切換コックの出水口から内容器内面まで連通した管状部を設け循環配管としたものと連接する。電気ポットの上面部に設けた流路切換コックの操作ツマミを回すことにより、内容器の筒底に設けられた入水孔から流入し加熱板部材内部に設けられた流水通路および出水孔から連通した給湯配管を通って揚水管側入水口に流れ込んだ湯水の流れを、流路切換コックによって湯水注出口側出水口または循環配管側出水口へと切換え、湯水の出湯または内容器への回流の切換を行うことのできる請求項１に記載の電気ポット。
【手続補正４】
【補正対象書類名】明細書
【補正対象項目名】０００５
【補正方法】変更
【補正の内容】
【０００５】
円板の円周表面部周方向に流水通路を設けた円板状加熱板部材を円筒状有底内容器の筒底とし、流水通路の始点位置に入水孔、終点位置に出水孔を設け、さらに給湯配管上部の湯水注出口手前の略水平方向の給湯配管に手動の流路切換コックを間設し、流路切換コックは常時揚水管側と循環配管側とを連通させ、内容器中に溜まった湯水を加熱する時は加熱板部材の表面部により湯水を直接加熱させるとともに、加熱板付近の水と周囲の水とを共に内容器筒底の入水孔に流入させ、流水通路の内壁により加熱しながら、流水通路の終点の出水孔に連通した給湯配管から循環配管を通り内容器中に循環するかたちで循環加熱し、出湯する時はあらかじめ定められた温度に達したときに電気ヒータを停止させ、電気ポットの上面部に設けた流路切換コックの操作ツマミを回して流路切換コックを湯水注出口側に切換え、出湯する。
【手続補正５】
【補正対象書類名】明細書
【補正対象項目名】０００６
【補正方法】変更
【補正の内容】
【０００６】
電気ヒータの加熱板部材を内容器の筒底とするとともに、循環配管を通って内容器中に湯水を回流させ、循環水のかたちで加熱することにより、湯水の加熱沸騰時間を短縮させることができるだけでなく、あらかじめ定められた温度に達したときに電気ヒータを停止させ、定温加熱することができる。温度が下がった揚水管中の湯水が内容器への回流することができ、また循環配管を使うことにより、内容器の循環水の洗浄とユーザの好みに合わせた湯水の任意温度の加熱にも使うことができる。
【手続補正６】
【補正対象書類名】明細書
【補正対象項目名】００１５
【補正方法】変更
【補正の内容】
【００１５】
流路切換コックＨに連通した循環配管Ｊを内容器Ｄの内面まで連通させる。循環配管Ｊの内容器Ｄの内面の出水口は、内容器Ｄの満水ラインより若干上に設け、湯水が内容器Ｄ中に回流するとき、内容器Ｄ内の水量に影響されないようにする。循環配管Ｊ全体はやや内容器Ｄ側に傾斜し、使用しないときでも循環配管Ｊ内の湯水が溜まらないようにする。
【手続補正７】
【補正対象書類名】明細書
【補正対象項目名】００１７
【補正方法】変更
【補正の内容】
【００１７】
図６は略円柱状の流路切換コックＨの横断面図である。流路切換コックＨは、湯水注出口Ｇ側の給湯配管に連通した出水口と揚水管Ｆ側の給湯配管に連通した入水口を略円柱状の流路切換コックＨの円周の対向に設け、略円柱状の流路切換コックＨの円心から９０度の円周位置に循環配管Ｊ側に連通した出水口を設ける。略円柱状の流路切換コックＨの弁部材の通水路バルプＨ−aは、略円柱状通水路バルプＨ−aの円周から円心を通り円周の対向に通水口を設けた直管状通水路に、二本の通水管路をＫ字型の形に連通させ、直管状通水路と二本の通水管路の間を連通させ通水路バルプＨ−ａの通水路の両端とも略漏斗形にしたものである（図を参照）。
【手続補正８】
【補正対象書類名】明細書
【補正対象項目名】００１８
【補正方法】変更
【補正の内容】
【００１８】
図６は出湯時の流路切換コックＨの図である。揚水管Ｆ側入水口から入った湯水が通水路バルプＨ−ａの通水路の一端の略漏斗形通水口から入り、湯水注出口Ｇ側出水口へ流出する。この時流路切換コックＨの循環配管Ｊ側出水口は、通水路バルプＨ−ａの他端の略漏斗形通水口が内壁により塞がれるため、通水不能になる（図を参照）。
【手続補正９】
【補正対象書類名】明細書
【補正対象項目名】００１９
【補正方法】変更
【補正の内容】
【００１９】
図７は回流時の流路切換コックＨの図である。前記流路切換コックＨの弁部材の通水路バルプＨ−aの通水路を切換えた状態である。揚水管Ｆ側入水口から入った湯水が通水路バルプＨ−ａの通水路の一端略漏斗形通水口に流れ、他端の略漏斗形の通水口を通り循環配管Ｊ側出水口に流出する。この時流路切換コックＨの湯水注出口Ｇ側出水口へは通水不能になる（図を参照）。
【手続補正１０】
【補正対象書類名】明細書
【補正対象項目名】００２０
【補正方法】変更
【補正の内容】
【００２０】
略円柱状通水路バルプＨ−aの通水路は、給湯配管の揚水管と常に連通しているとともに、略水平方向の給湯配管は揚水管Ｆ側に傾斜した状態にすることにより、使用しないときでも流路切換コックＨの中に湯水が溜まらない。
【手続補正１１】
【補正対象書類名】明細書
【補正対象項目名】００２１
【補正方法】変更
【補正の内容】
【００２１】
図８は電気ポット上面図であり、操作ツマミＥを示した図である。図９は電気ボッド側面正面図である。ユーザの長期使用や、または洗浄の不徹底などによるスケールなどの生成による電磁バルプ使用時の不具合をなくすため、ユーザの好みに合わせ手動の流路切換コックＨを切換え、手の感覚で不具合などのトラブルを防ぐことができる。また給湯配管周りの従来の部材の位置を調整することが好ましい。
【手続補正１２】
【補正対象書類名】明細書
【補正対象項目名】００２４
【補正方法】変更
【補正の内容】
【００２４】
【図１】加熱板部材上面正面図
【図２】加熱板部材側面正面図
【図３】電気ポット側面下部正面図
【図４】電気ポット側面上部正面図
【図５】給湯配管上面正面図
【図６】流路切換バルプ湯水注出口方面横断面図
【図７】流路切換バルプ循環配管方面横断面図
【図８】電気ポット上面図
【図９】電気ポット側面正面図
【手続補正１３】
【補正対象書類名】明細書
【補正対象項目名】００２５
【補正方法】変更
【補正の内容】
【００２５】
Ａ        加熱板部材
Ａ−ａ    入水孔
Ａ−ｂ    出水孔
Ａ−ｃ    流水通路
Ｂ        電気ヒータ
Ｃ        モーター
Ｄ        内容器
Ｅ        流路切換用操作ツマミ
Ｆ        揚水管
Ｇ        湯水注出口
Ｈ        流路切換コック
Ｈ−a     通水路バルプ
Ｊ        循環配管
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
湯水を収容する有底略円筒状の内容器の内径と同じ直径の円板状の電気ヒータの加熱板部材は、円板の円周表面部周方向に沿って円板平面上方視略Ｃ字型の溝を設け、溝の開口部を覆い被せて管状の流水通路とし、流水通路の一端に流水通路の始点位置として加熱板部材の片側平面を上の面に貫通する入水孔を設け、流水通路他端に流水通路の終点位置として給湯配管と連通させるための出水孔を加熱板部材の下面に設け、前記円板状の加熱板部材が内容器の筒底となり、流水通路の断面積を給湯配管の断面積と同じにし、また入水孔と出水孔の直径がそれぞれ給湯配管の直径と同じ寸法になった電気ポット。
【請求項２】
内容器中の水を加熱するとき、湯水を加熱板部材となる筒底の上面により直接加熱すると同時に、加熱された加熱板付近の水と周囲の水とを共に筒底の入水孔に流入させ流水通路の終点の出水孔と連通した給湯配管を経由して内容器中に回流させる際に、加熱板部材の内部の流水通路内壁により加熱することにより、湯水の加熱板部材となる筒底の上面による直接加熱および同一の加熱板部材内部の流水通路内壁による加熱の二重加熱を行うことを特徴とする請求項１に記載の電気ポット。
【手続補正２】
【補正対象書類名】明細書
【補正対象項目名】０００２
【補正方法】変更
【補正の内容】
【０００２】
電気ポットの中の湯水は、内容器の下に設けられた加熱循環管路、または内容器の底面部に設けられた加熱カバーの加熱部材により加熱沸騰させる。
【手続補正３】
【補正対象書類名】明細書
【補正対象項目名】０００３
【補正方法】変更
【補正の内容】
【０００３】
しかしながら、加熱循環管路で加熱するのは、内容器の局部的な循環加熱となる欠点があり、加熱部材に接する面だけで加熱しても、給湯配管に入る湯水が、加熱された水だけではなく、加熱されていない周囲の水と混ざりながら給湯配管から出湯することになる。
【特許文献１】特開２００３−２５９９７７
【特許文献２】実開平７−０３９７１７
【手続補正４】
【補正対象書類名】明細書
【補正対象項目名】０００４
【補正方法】変更
【補正の内容】
【０００４】
湯水の加熱沸騰時間の短縮ができるとともに、水温が下がった湯水をあらかじめ設定した温度に加熱することが出来る。
【手続補正５】
【補正対象書類名】明細書
【補正対象項目名】０００５
【補正方法】変更
【補正の内容】
【０００５】
円板の円周表面部周方向に流水通路を設けた円板状加熱板部材を円筒状有底内容器の筒底とし、流水通路の始点位置に入水孔、終点位置に出水孔を設け、内容器中に溜まった湯水を加熱する時は加熱板部材の表面部により湯水を直接加熱させるとともに、加熱板部材付近の水と周囲の水とを共に内容器筒底の入水孔に流入させ流水通路の終点の出水孔に連通した給湯配管と循環配管を利用して内容器中に循環する際に、同一の加熱板部材内部の流水通路内壁による加熱をする二重加熱を行う。
【手続補正６】
【補正対象書類名】明細書
【補正対象項目名】０００６
【補正方法】変更
【補正の内容】
【０００６】
電気ヒータの加熱板部材を内容器の筒底とするとともに、循環配管を利用して、湯水が加熱板部材となる筒底の上面による直接加熱および同一の加熱板部材の内部の流水通路の内壁による二重加熱を行うことにより、湯水の加熱沸騰時間を短縮させることができるだけでなく、あらかじめ定められた温度に達したときに電気ヒータを停止させ、定温加熱することができる。
【手続補正７】
【補正対象書類名】明細書
【補正対象項目名】００１１
【補正方法】変更
【補正の内容】
【００１１】
図３は電気ポットの筒底側面断面図である。加熱板部材Ａの直径を内容器Ｄの円筒状部の内径と同じにすることで、電気ヒータＢの加熱板部材Ａによる加熱面積が最大になる。加熱手段は加熱板部材Ａの上表面部による加熱だけでなく、出湯用モーターＣを利用することにより湯水が加熱板部材Ａの内部の流水通路Ａ−ｃ中を流れ給湯配管Ｆと循環配管を利用して回流する際に内壁による加熱することにより、同一の加熱板部材による二重加熱を行い、加熱沸騰の時間の短縮することができる。
【手続補正８】
【補正対象書類名】明細書
【補正対象項目名】００１２
【補正方法】変更
【補正の内容】
【００１２】
湯水を前記二重加熱方式により、内容器Ｄ中の温度が下がった湯水を加熱する際に加熱温度を設定し、水温が所定温度に到達した時点で電気ヒータＢを停止させ、定温加熱することもできる。また内容器Ｄの水量が多い場合でも加熱沸騰時間を短縮することができ、湯水を短時間に所定温度まで加熱することができるため、低い保温温度に設定することで、省エネを図ることができる。
【手続補正９】
【補正対象書類名】明細書
【補正対象項目名】００１３
【補正方法】変更
【補正の内容】
【００１３】
循環配管を利用する際に、流路切換コックを常に循環側に位置することにより、内容器Ｄの中に溜まった湯水を加熱するときは、出湯用モーターＣの回転により、揚水管Ｆと循環配管を通って内容器Ｄの中へ循環させながら加熱し、また出湯時の予期せぬ出湯または本体が倒れて湯水が流出するなどのトラブルを防ぐ効果もある。  
【手続補正１０】
【補正対象書類名】明細書
【補正対象項目名】００１４
【補正方法】変更
【補正の内容】
【００１４】
加熱板部材Ａの流水通路Ａ−ｃ中の湯水の過熱を防ぐため、出湯用モーターＣを停止することにより湯水を循環不能にすると同時に、電気ヒータＢも停止させる。
【手続補正１１】
【補正対象書類名】明細書
【補正対象項目名】００１５
【補正方法】変更
【補正の内容】
【００１５】
【図１】加熱板部材上面正面図
【図２】加熱板部材側面正面図
【図３】電気ポット側面下部正面図
【手続補正１２】
【補正対象書類名】明細書
【補正対象項目名】００１６
【補正方法】変更
【補正の内容】
【００１６】
Ａ        加熱板部材
Ａ−ａ    入水孔
Ａ−ｂ    出水孔
Ａ−ｃ    流水通路
Ｂ        電気ヒータ
Ｃ        モーター
Ｄ        内容器        
Ｆ        揚水管
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】図面
【補正対象項目名】図４
【補正方法】削除
【補正の内容】
【手続補正２３】
【補正対象書類名】図面
【補正対象項目名】図５
【補正方法】削除
【補正の内容】
【手続補正２４】
【補正対象書類名】図面
【補正対象項目名】図６
【補正方法】削除
【補正の内容】
【手続補正２５】
【補正対象書類名】図面
【補正対象項目名】図７
【補正方法】削除
【補正の内容】
【手続補正２６】
【補正対象書類名】図面
【補正対象項目名】図８
【補正方法】削除
【補正の内容】
【手続補正２７】
【補正対象書類名】図面
【補正対象項目名】図９
【補正方法】削除
【補正の内容】